(57)【要約】【課題】帳票データを書き込む部署と、光ディスク等の記録媒体にどの帳票データを書き込むのかを決定する部署との適切な関係を確立することができる帳票データ書き込みシステムを提供する。【解決手段】帳票データの状態に関する帳票データ状態情報を書き込み制御装置２に送信し、書き込み制御装置２から送信されたデータ特定情報によって特定される帳票データを、書き込み制御装置２から送信された書き込み指示に応じて着脱可能な記録媒体に書き込む帳票データ書き込み装置１と、記録媒体に記録するデータを特定するデータ特定情報を帳票データ書き込み装置１に送信し、帳票データ状態情報、及びデータ特定情報に基づいて、帳票データを着脱可能な記録媒体に書き込むかどうかの判断を行い、書き込むと判断した場合に、書き込み指示を帳票データ書き込み装置１に送信する書き込み制御装置２とを備える。【選択図】図１
2005309568.tif 000002
【特許請求の範囲】
【請求項１】
帳票データ書き込み装置と、書き込み制御装置とを備えた帳票データ書き込みシステムであって、
前記帳票データ書き込み装置は、
帳票データを受け付ける帳票データ受付部と、
前記帳票データ受付部で受け付けられた帳票データの状態に関する情報である帳票データ状態情報を構成する帳票データ状態情報構成部と、
前記帳票データ状態情報構成部が構成した帳票データ状態情報を前記書き込み制御装置に送信する帳票データ状態情報送信部と、
着脱可能な記録媒体に書き込む１以上の帳票データを特定する情報であるデータ特定情報を受信するデータ特定情報受信部と、
着脱可能な記録媒体に帳票データを書き込む旨の指示である書き込み指示を受信する書き込み指示受信部と、
前記書き込み指示受信部が書き込み指示を受信した場合に、前記データ特定情報受信部が受信したデータ特定情報によって特定される１以上の帳票データを着脱可能な記録媒体に書き込む帳票データ書き込み部と、を有し、
前記書き込み制御装置は、
前記データ特定情報を１以上記憶しているデータ特定情報記憶部と、
前記データ特定情報記憶部が記憶しているデータ特定情報を前記帳票データ書き込み装置に送信するデータ特定情報送信部と、
前記帳票データ状態情報を受信する帳票データ状態情報受信部と、
前記帳票データ状態情報受信部が受信した帳票データ状態情報、及び前記データ特定情報記憶部が記憶しているデータ特定情報に基づいて、前記データ特定情報によって特定される１以上の帳票データを着脱可能な記録媒体に書き込むかどうか判断する判断部と、
前記データ特定情報によって特定される１以上の帳票データを着脱可能な記録媒体に書き込むと前記判断部が判断した場合に、前記帳票データ書き込み装置に前記書き込み指示を送信する書き込み指示送信部と、を有する、帳票データ書き込みシステム。
【請求項２】
前記データ特定情報と、前記書き込み指示とは、前記書き込み制御装置から前記帳票データ書き込み装置に同時に送信される、請求項１記載の帳票データ書き込みシステム。
【請求項３】
前記データ特定情報と、前記書き込み指示とは、前記書き込み制御装置から前記帳票データ書き込み装置に別々に送信される、請求項１記載の帳票データ書き込みシステム。
【請求項４】
前記帳票データ状態情報は、前記帳票データ受付部により、帳票データが受け付けられたかどうかを示す情報である、請求項１から３のいずれか記載の帳票データ書き込みシステム。
【請求項５】
前記帳票データ書き込み装置は、前記帳票データ受付部が受け付けた帳票データを着脱可能な記録媒体に書き込む形式に変換する帳票データ変換部をさらに備え、
前記帳票データ書き込み部は、前記帳票データ変換部によって変換された帳票データを着脱可能な記録媒体に書き込むものであり、
前記帳票データ状態情報は、前記帳票データ受付部により帳票データが受け付けられ、前記帳票データ変換部により当該帳票データが変換されたかどうかを示す情報である、請求項１から３のいずれか記載の帳票データ書き込みシステム。
【請求項６】
請求項１から５のいずれか記載の帳票データ書き込みシステムを構成する帳票データ書き込み装置。
【請求項７】
請求項１から５のいずれか記載の帳票データ書き込みシステムを構成する書き込み制御装置。
【請求項８】
帳票データを受け付ける帳票データ受付ステップと、
前記帳票データ受付ステップで受け付けられた帳票データの状態に関する情報である帳票データ状態情報を構成する帳票データ状態情報構成ステップと、
前記帳票データ状態情報構成ステップで構成した帳票データ状態情報を送信する帳票データ状態情報送信ステップと、
着脱可能な記録媒体に書き込む１以上の帳票データを特定する情報であるデータ特定情報を受信するデータ特定情報受信ステップと、
着脱可能な記録媒体に帳票データを書き込む旨の指示である書き込み指示を受信する書き込み指示受信ステップと、
前記書き込み指示受信ステップで書き込み指示を受信した場合に、前記データ特定情報受信ステップで受信したデータ特定情報によって特定される１以上の帳票データを着脱可能な記録媒体に書き込む帳票データ書き込みステップと、備えた帳票データ書き込み方法。
【請求項９】
着脱可能な記録媒体に書き込む１以上の帳票データを特定する情報であるデータ特定情報を１以上記憶しているデータ特定情報記憶部から前記データ特定情報を読み出して送信するデータ特定情報送信ステップと、
帳票データの状態に関する情報である帳票データ状態情報を受信する帳票データ状態情報受信ステップと、
前記帳票データ状態情報受信ステップで受信した帳票データ状態情報、及び前記データ特定情報記憶部が記憶しているデータ特定情報に基づいて、前記データ特定情報によって特定される１以上の帳票データを着脱可能な記録媒体に書き込むかどうか判断する判断ステップと、
前記データ特定情報によって特定される１以上の帳票データを着脱可能な記録媒体に書き込むと前記判断ステップで判断した場合に、着脱可能な記録媒体に帳票データを書き込む旨の指示である書き込み指示を送信する書き込み指示送信ステップと、を備えた書き込み制御方法。
【請求項１０】
コンピュータに、
帳票データを受け付ける帳票データ受付ステップと、
前記帳票データ受付ステップで受け付けられた帳票データの状態に関する情報である帳票データ状態情報を構成する帳票データ状態情報構成ステップと、
前記帳票データ状態情報構成ステップで構成した帳票データ状態情報を送信する帳票データ状態情報送信ステップと、
着脱可能な記録媒体に書き込む１以上の帳票データを特定する情報であるデータ特定情報を受信するデータ特定情報受信ステップと、
着脱可能な記録媒体に帳票データを書き込む旨の指示である書き込み指示を受信する書き込み指示受信ステップと、
前記書き込み指示受信ステップで書き込み指示を受信した場合に、前記データ特定情報受信ステップで受信したデータ特定情報によって特定される１以上の帳票データを着脱可能な記録媒体に書き込む帳票データ書き込みステップと、を実行させるためのプログラム。
【請求項１１】
コンピュータに、
着脱可能な記録媒体に書き込む１以上の帳票データを特定する情報であるデータ特定情報を１以上記憶しているデータ特定情報記憶部から前記データ特定情報を読み出して送信するデータ特定情報送信ステップと、
帳票データの状態に関する情報である帳票データ状態情報を受信する帳票データ状態情報受信ステップと、
前記帳票データ状態情報受信ステップで受信した帳票データ状態情報、及び前記データ特定情報記憶部が記憶しているデータ特定情報に基づいて、前記データ特定情報によって特定される１以上の帳票データを着脱可能な記録媒体に書き込むかどうか判断する判断ステップと、
前記データ特定情報によって特定される１以上の帳票データを着脱可能な記録媒体に書き込むと前記判断ステップで判断した場合に、着脱可能な記録媒体に帳票データを書き込む旨の指示である書き込み指示を送信する書き込み指示送信ステップと、を実行させるためのプログラム。
【発明の詳細な説明】
【技術分野】
【０００１】
本発明は、帳票データを着脱可能な記録媒体に書き込む帳票データ書き込みシステム等に関する。
【背景技術】
【０００２】
従来、帳票データを光ディスク等の記録媒体に書き込むシステムにおいて、入力された帳票データを記憶し、あらかじめ登録され、必要とされる帳票データのすべてが記憶された場合に、それらの帳票データを光ディスク等に書き込むものが開発されている（例えば、特許文献１参照）。
【特許文献１】特開２００２−３４２６９７号公報（第１頁、第１図等）
【発明の開示】
【発明が解決しようとする課題】
【０００３】
一方、帳票データを光ディスク等に書き込む装置の位置する部署と、その光ディスク等にどの帳票データを書き込むのかについて決定を行う部署とはまったく異なることが多い。帳票データを光ディスク等に書き込む作業と、光ディスク等にどの帳票データを書き込むのかを決定する作業とはまったく異なるものだからである。また、例えば、光ディスク等に書き込む帳票データの内容を決定する経営者等が、光ディスク等にどのような帳票データが書き込まれているのかを帳票データを書き込む装置を操作する者に知られたくない場合もあり得るからである。
【０００４】
したがって、書き込む帳票データの種類が変更されるたびに、担当者は帳票データを書き込む装置の部署にまで出向き、マスタデータ等の変更を行わなければならず、担当者に過大な労力が課されていたという問題があった。特に、光ディスク等の記録媒体にどの帳票データを書き込むのかについて、頻繁に変更された場合には、その問題が顕著となり得る。
【０００５】
本発明は、上記問題点を解決するためになされたものであり、光ディスク等の記録媒体にどの帳票データを書き込むのかを決定する部署における決定に基づいて、帳票データを書き込む部署において、帳票データを光ディスク等に書き込むことにより、両部署の適切な関係を確立することができる帳票データ書き込みシステム等を提供することを目的とする。
【課題を解決するための手段】
【０００６】
上記目的を達成するため、本発明による帳票データ書き込みシステムは、帳票データ書き込み装置と、書き込み制御装置とを備えた帳票データ書き込みシステムであって、前記帳票データ書き込み装置は、帳票データを受け付ける帳票データ受付部と、前記帳票データ受付部で受け付けられた帳票データの状態に関する情報である帳票データ状態情報を構成する帳票データ状態情報構成部と、前記帳票データ状態情報構成部が構成した帳票データ状態情報を前記書き込み制御装置に送信する帳票データ状態情報送信部と、着脱可能な記録媒体に書き込む１以上の帳票データを特定する情報であるデータ特定情報を受信するデータ特定情報受信部と、着脱可能な記録媒体に帳票データを書き込む旨の指示である書き込み指示を受信する書き込み指示受信部と、前記書き込み指示受信部が書き込み指示を受信した場合に、前記データ特定情報受信部が受信したデータ特定情報によって特定される１以上の帳票データを着脱可能な記録媒体に書き込む帳票データ書き込み部と、を有し、前記書き込み制御装置は、前記データ特定情報を１以上記憶しているデータ特定情報記
憶部と、前記データ特定情報記憶部が記憶しているデータ特定情報を前記帳票データ書き込み装置に送信するデータ特定情報送信部と、前記帳票データ状態情報を受信する帳票データ状態情報受信部と、前記帳票データ状態情報受信部が受信した帳票データ状態情報、及び前記データ特定情報記憶部が記憶しているデータ特定情報に基づいて、前記データ特定情報によって特定される１以上の帳票データを着脱可能な記録媒体に書き込むかどうか判断する判断部と、前記データ特定情報によって特定される１以上の帳票データを着脱可能な記録媒体に書き込むと前記判断部が判断した場合に、前記帳票データ書き込み装置に前記書き込み指示を送信する書き込み指示送信部とを有するものである。
【０００７】
このような構成により、帳票データ書き込み装置が着脱可能な記録媒体にどの帳票データを書き込むのか、また、いつ書き込むのかについて、書き込み制御装置において制御することができる。したがって、書き込み制御装置におけるデータ特定情報記憶部が記憶しているデータ特定情報を変更等することにより、着脱可能な記録媒体に記録する内容を容易に変更等することができ得る。その結果、帳票データを書き込む部署（例えば、帳票データ書き込み装置の設置されている部署）と、光ディスク等の記録媒体にどの帳票データを書き込むのかを決定する部署（例えば、書き込み制御装置の設置されている部署）との適切な関係を確立することができ、どの帳票データを書き込むのかを決定する部署の担当者が、書き込む帳票データの種類が変更されるたびに、帳票データを書き込む装置の部署にまで出向き、マスタデータ等の変更を行うような事態を回避することができ得る。
【発明の効果】
【０００８】
本発明による帳票データ書き込みシステム等によれば、帳票データを書き込む部署（例えば、帳票データ書き込み装置の設置されている部署）と、光ディスク等の記録媒体にどの帳票データを書き込むのかを決定する部署（例えば、書き込み制御装置の設置されている部署）との適切な関係を確立することができ得る。
【発明を実施するための最良の形態】
【０００９】
本発明の一実施の形態による情報処理装置について、図面を参照しながら説明する。
図１は、本実施の形態による帳票データ書き込みシステムの構成を示す図である。図１において、本実施の形態による帳票データ書き込みシステムは、帳票データ書き込み装置１と、書き込み制御装置２とを備える。帳票データ書き込み装置１と、書き込み制御装置２とは所定の回線によって接続されている。その回線は、有線または無線の通信回線（例えば、インターネットやイントラネットなど）であってもよく、両装置を接続するための専用のケーブル等であってもよい。
【００１０】
図２は、本実施の形態による帳票データ書き込み装置１と、書き込み制御装置２との構成を示すブロック図である。図２において、帳票データ書き込み装置１は、帳票データ受付部１１と、帳票データ変換部１２と、帳票データ記憶部１３と、帳票データ状態情報構成部１４と、帳票データ状態情報送信部１５と、データ特定情報受信部１６と、書き込み指示受信部１７と、帳票データ書き込み部１８とを備える。また、書き込み制御装置２は、データ特定情報記憶部２１と、データ特定情報送信部２２と、帳票データ状態情報受信部２３と、判断部２４と、書き込み指示送信部２５と、データ特定情報管理部２６とを備える。
【００１１】
帳票データ受付部１１は、帳票データを受け付ける。ここで、帳票データとは、会計や製造、売買等で用いられる帳簿や伝票のデータのことである。帳票データ受付部１１は、例えば、入力デバイス（例えば、キーボードやマウス、タッチパネルなど）から入力された帳票データを受け付けてもよく、有線もしくは無線の通信回線を介して送信された帳票データを受け付けてもよく、所定の記録媒体（例えば、光ディスクや磁気ディスク、半導体メモリなど）から読み出された帳票データを受け付けてもよい。
【００１２】
帳票データ変換部１２は、帳票データ受付部１１が受け付けた帳票データを着脱可能な記録媒体１９に書き込む形式に変換し、その変換後の帳票データを帳票データ記憶部１３に蓄積する。この変換は、例えば、アプリケーションＡＢＣで作成されたワードプロセッサの帳票データから、アプリケーションＸＹＺの形式のワードプロセッサの帳票データへの変換や、スプレッドシートの帳票データからテキスト形式の帳票データへの変換などである。例えば、着脱可能な記録媒体１９に書き込む帳票データが所定の形式に限定されている場合に、その所定の形式に合わせるために、変換が行われる。なお、この変換は、その他の目的のための変換であってもよく、例えば、データ圧縮を行うための変換、データの暗号化を行うための変換等であってもよい。
【００１３】
帳票データ記憶部１３は、変換後の帳票データを記憶している。帳票データ記憶部１３は、所定の記録媒体（例えば、半導体メモリや磁気ディスク、光ディスクなど）によって実現され得る。
【００１４】
帳票データ状態情報構成部１４は、帳票データ状態情報を構成する。ここで、帳票データ状態情報とは、帳票データの状態に関する情報である。この帳票データ状態情報は、例えば、帳票データが帳票データ受付部１１で受け付けられたことを示す情報であってもよく、帳票データ受付部１１により帳票データが受け付けられ、帳票データ変換部１２によりその帳票データが変換されたことを示す情報であってもよい。また、帳票データ状態情報の構成は、例えば、帳票データ状態情報が帳票データ記憶部１３で記憶されている情報の一部等である場合には、その帳票データ状態情報の単なる取得であってもよく、あるいは、帳票データ記憶部１３が記憶している帳票データ等に基づいて、その帳票データ状態情報を生成してもよい。
【００１５】
帳票データ状態情報送信部１５は、帳票データ状態情報構成部１４が構成した帳票データ状態情報を書き込み制御装置２に送信する。なお、帳票データ状態情報送信部１５は、送信を行うための送信デバイス（例えば、モデムやネットワークカードなど）を含んでもよく、あるいは含まなくてもよい（この場合には、帳票データ状態情報送信部１５の外部に図示しない送信デバイスが存在することとなる）。また、帳票データ状態情報送信部１５は、ハードウェアによって実現されてもよく、あるいは送信デバイスを駆動するドライバ等のソフトウェアによって実現されてもよい。
【００１６】
データ特定情報受信部１６は、データ特定情報を受信する。ここで、データ特定情報とは、着脱可能な記録媒体１９に書き込む１以上の帳票データを特定する情報である。データ特定情報による帳票データの特定は、例えば、帳票データの名称や、帳票データを識別する識別情報などによってなされる。なお、データ特定情報受信部１６は、受信を行うための受信デバイス（例えば、モデムやネットワークカードなど）を含んでもよく、あるいは含まなくてもよい（この場合には、データ特定情報受信部１６の外部に図示しない受信デバイスが存在することとなる）。また、データ特定情報受信部１６は、ハードウェアによって実現されてもよく、あるいは受信デバイスを駆動するドライバ等のソフトウェアによって実現されてもよい。
【００１７】
書き込み指示受信部１７は、書き込み指示を受信する。ここで、書き込み指示とは、着脱可能な記録媒体１９に帳票データを書き込む旨の指示である。なお、書き込み指示受信部１７は、受信を行うための受信デバイス（例えば、モデムやネットワークカードなど）を含んでもよく、あるいは含まなくてもよい（この場合には、書き込み指示受信部１７の外部に図示しない受信デバイスが存在することとなる）。また、書き込み指示受信部１７は、ハードウェアによって実現されてもよく、あるいは受信デバイスを駆動するドライバ等のソフトウェアによって実現されてもよい。
【００１８】
なお、図２においては、データ特定情報受信部１６と、書き込み指示受信部１７とを別々に記載しているが、データ特定情報受信部１６と、書き込み指示受信部１７とは、同一の構成要素として構成されてもよい。ここで、同一の構成要素として構成された場合には、同一の構成要素としての受信部は、データ特定情報を受信するときにデータ特定情報受信部１６として機能し、書き込み指示を受信するときに書き込み指示受信部１７として機能することになる。
【００１９】
帳票データ書き込み部１８は、書き込み指示受信部１７が書き込み指示を受信した場合に、データ特定情報受信部１６が受信したデータ特定情報によって特定される１以上の帳票データを着脱可能な記録媒体１９に書き込む。なお、帳票データ書き込み部１８が着脱可能な記録媒体１９に書き込むのは、帳票データ変換部１２によって変換された帳票データである。また、帳票データ書き込み部１８は、データの書き込みを行うための書き込みデバイス（例えば、光ピックアップやトラバース駆動部など）を含んでもよく、あるいは、含まなくてもよい（この場合には、帳票データ書き込み部１８が書き込みデバイスを制御するものとする）。また、帳票データ書き込み部１８は、ハードウェアによって実現されてもよく、あるいは書き込みデバイスを駆動するドライバ等のソフトウェアによって実現されてもよい。
【００２０】
着脱可能な記録媒体１９は、帳票データが書き込まれる記録媒体であり、例えば、光ディスク（例えば、ＣＤ−Ｒ、ＤＶＤ−ＲＡＭ等）であってもよく、磁気ディスクであってもよく、光磁気ディスクであってもよく、磁気テープであってもよく、帳票データ書き込み装置１に対して着脱可能であり、帳票データを書き込むことができる記録媒体であれば、その種類は限定されない。なお、本実施の形態では、着脱可能な記録媒体１９がＣＤ−Ｒであるとする。
【００２１】
データ特定情報記憶部２１は、データ特定情報を１以上記憶している。データ特定情報記憶部２１は、所定の記録媒体（例えば、半導体メモリや磁気ディスク、光ディスクなど）によって実現され得る。
【００２２】
データ特定情報送信部２２は、データ特定情報記憶部２１が記憶しているデータ特定情報を帳票データ書き込み装置１に送信する。なお、データ特定情報送信部２２は、送信を行うための送信デバイス（例えば、モデムやネットワークカードなど）を含んでもよく、あるいは含まなくてもよい（この場合には、データ特定情報送信部２２の外部に図示しない送信デバイスが存在することとなる）。また、データ特定情報送信部２２は、ハードウェアによって実現されてもよく、あるいは送信デバイスを駆動するドライバ等のソフトウェアによって実現されてもよい。
【００２３】
帳票データ状態情報受信部２３は、帳票データ状態情報を受信する。なお、帳票データ状態情報受信部２３は、受信を行うための受信デバイス（例えば、モデムやネットワークカードなど）を含んでもよく、あるいは含まなくてもよい（この場合には、帳票データ状態情報受信部２３の外部に図示しない受信デバイスが存在することとなる）。また、帳票データ状態情報受信部２３は、ハードウェアによって実現されてもよく、あるいは受信デバイスを駆動するドライバ等のソフトウェアによって実現されてもよい。
【００２４】
判断部２４は、帳票データ状態情報受信部２３が受信した帳票データ状態情報、及びデータ特定情報記憶部２１が記憶しているデータ特定情報に基づいて、データ特定情報によって特定される１以上の帳票データを着脱可能な記録媒体１９に書き込むかどうか判断する。具体的には、データ特定情報によって特定されるすべての帳票データが、書き込み可能な状態である場合（例えば、帳票データ状態情報によって、帳票データの変換が終了し
た旨が示される場合など）に、判断部２４は、データ特定情報によって特定される１以上の帳票データを着脱可能な記録媒体１９に書き込むと判断する。
【００２５】
書き込み指示送信部２５は、データ特定情報によって特定される１以上の帳票データを着脱可能な記録媒体１９に書き込むと判断部２４が判断した場合に、帳票データ書き込み装置１に書き込み指示を送信する。なお、書き込み指示送信部２５は、送信を行うための送信デバイス（例えば、モデムやネットワークカードなど）を含んでもよく、あるいは含まなくてもよい（この場合には、書き込み指示送信部２５の外部に図示しない送信デバイスが存在することとなる）。また、書き込み指示送信部２５は、ハードウェアによって実現されてもよく、あるいは送信デバイスを駆動するドライバ等のソフトウェアによって実現されてもよい。
【００２６】
なお、図２においては、データ特定情報送信部２２と、書き込み指示送信部２５とを別々に記載しているが、データ特定情報送信部２２と、書き込み指示送信部２５とは、同一の構成要素として構成されてもよい。ここで、同一の構成要素として構成された場合には、同一の構成要素としての送信部は、データ特定情報を送信するときにデータ特定情報送信部２２として機能し、書き込み指示を送信するときに書き込み指示送信部２５として機能することになる。
【００２７】
また、データ特定情報送信部２２によるデータ特定情報の送信と、書き込み指示送信部２５による書き込み指示の送信とは、例えば、書き込み制御装置２から帳票データ書き込み装置１に同時に送信されてもよく、あるいは、別々に送信されてもよい。
【００２８】
データ特定情報管理部２６は、ユーザからの指示に基づいて、データ特定情報記憶部２１が記憶しているデータ特定情報の管理を行う。具体的には、データ特定情報の追加、削除、変更等を行う。
【００２９】
次に、本実施の形態による帳票データ書き込みシステムの動作について、図３〜図５のフローチャートを用いて説明する。
図３は、本実施の形態による帳票データ書き込み装置１の動作を示すフローチャートである。
（ステップＳ１０１）帳票データ受付部１１は、帳票データを受け付けたかどうか判断する。そして、帳票データを受け付けた場合には、その帳票データを帳票データ変換部１２に渡してステップＳ１０２に進み、そうでない場合には、帳票データを受け付けるまでステップＳ１０１の処理を繰り返す。
【００３０】
（ステップＳ１０２）帳票データ変換部１２は、帳票データ受付部１１から受け取った帳票データの変換を開始する。そして、ステップＳ１０１に戻る。
（ステップＳ１０３）帳票データ変換部１２は、ステップＳ１０２で開始した帳票データの変換が終了したかどうか判断する。そして、帳票データの変換が終了した場合には、ステップＳ１０４に進み、帳票データの変換が終了していない場合、あるいは帳票データ変換部１２において帳票データの変換を行っていない場合には、ステップＳ１０５に進む。
【００３１】
（ステップＳ１０４）帳票データ変換部１２は、変換後の帳票データを帳票データ記憶部１３に蓄積する。そして、ステップＳ１０１に戻る。
（ステップＳ１０５）帳票データ状態情報構成部１４は、帳票データ状態情報の送信タイミングであるかどうか判断する。そして、帳票データ状態情報の送信タイミングであると判断した場合には、ステップＳ１０６に進み、そうでない場合には、ステップＳ１０８に進む。ここで、帳票データ状態情報の送信タイミングは、所定の期間ごと（例えば、毎
日午前２時など）であってもよく、所定のイベント（例えば、帳票データ記憶部１３に新たな帳票データが蓄積されたことなど）をトリガーとするものであってもよく、その他のタイミングであってもよい。
【００３２】
（ステップＳ１０６）帳票データ状態情報構成部１４は、帳票データ状態情報を構成し、その構成した帳票データ状態情報を帳票データ状態情報送信部１５渡す。
（ステップＳ１０７）帳票データ状態情報送信部１５は、帳票データ状態情報構成部１４から受け取った帳票データ状態情報を書き込み制御装置２に送信する。そして、ステップＳ１０１に戻る。
【００３３】
（ステップＳ１０８）データ特定情報受信部１６は、データ特定情報を受信したかどうか判断する。そして、データ特定情報を受信した場合には、ステップＳ１０９に進み、そうでない場合には、ステップＳ１１０に進む。
【００３４】
（ステップＳ１０９）データ特定情報受信部１６は、受信したデータ特定情報を所定の記録媒体に蓄積する。この記録媒体は、データ特定情報受信部１６が有していてもよく、他の構成要素が有していてもよく、あるいは、別途構成されていてもよい。そして、ステップＳ１０１に戻る。また、この記録媒体は、バッファメモリのような一時的な記憶を行うものでもよく、あるいは、磁気ディスクのような長期的な記憶を行うものでもよい。
【００３５】
（ステップＳ１１０）書き込み指示受信部１７は、書き込み指示を受信したかどうか判断する。そして、書き込み指示を受信した場合には、その書き込み指示を帳票データ書き込み部１８に渡してステップＳ１１１に進み、そうでない場合には、ステップＳ１０１に戻る。
【００３６】
（ステップＳ１１１）帳票データ書き込み部１８は、データ特定情報受信部１６がステップＳ１０９で蓄積したデータ特定情報を取得する。ここで、複数のデータ特定情報が記憶されている場合には、それらのうち、ステップＳ１１０で受信した書き込み指示に対応するデータ特定情報を取得する。
【００３７】
（ステップＳ１１２）帳票データ書き込み部１８は、ステップＳ１１１で取得したデータ特定情報によって特定されるすべての変換後の帳票データを、帳票データ記憶部１３から取得する。
【００３８】
（ステップＳ１１３）帳票データ書き込み部１８は、ステップＳ１１２で取得した変換後の帳票データを、着脱可能な記録媒体１９に書き込む。そして、ステップＳ１０１に戻る。
【００３９】
図４は、本実施の形態による書き込み制御装置２の動作を示すフローチャートである。
（ステップＳ２０１）帳票データ状態情報受信部２３は、帳票データ書き込み装置１から送信された帳票データ状態情報を受信したかどうか判断する。そして、帳票データ状態情報を受信した場合には、その帳票データ状態情報を判断部２４に渡してステップＳ２０２に進み、そうでない場合には、ステップＳ２０５に進む。
【００４０】
（ステップＳ２０２）判断部２４は、帳票データ状態情報受信部２３から受け取った帳票データ状態情報と、データ特定情報記憶部２１が記憶しているデータ特定情報とに基づいて、データ特定情報によって特定される１以上の帳票データを着脱可能な記録媒体１９に書き込むかどうか判断する。この判断の詳細については後述する。
【００４１】
（ステップＳ２０３）ステップＳ２０２における判断の結果、帳票データを着脱可能な
記録媒体１９に書き込む場合には、ステップＳ２０４に進み、そうでない場合には、ステップＳ２０１に戻る。
【００４２】
（ステップＳ２０４）書き込み指示送信部２５は、書き込み指示を帳票データ書き込み装置１に送信する。その書き込み指示には、データ特定情報を識別するための情報が含まれているとする。そして、ステップＳ２０１に戻る。
【００４３】
（ステップＳ２０５）データ特定情報送信部２２は、データ特定情報を送信するタイミングであるかどうか判断する。そして、データ特定情報を送信するタイミングである場合には、ステップＳ２０６に進み、そうでない場合には、ステップＳ２０１に戻る。ここで、データ特定情報の送信タイミングは、所定の期間ごと（例えば、毎日午前２時など）であってもよく、所定のイベント（例えば、書き込み指示の送信されたことなど）をトリガーとするものであってもよく、その他のタイミングであってもよい。
【００４４】
（ステップＳ２０６）データ特定情報送信部２２は、データ特定情報をデータ特定情報記憶部２１から読み出して帳票データ書き込み装置１に送信する。そして、ステップＳ２０１に戻る。
【００４５】
なお、図３、図４のフローチャートにおいて、電源オフや処理終了の割り込みにより処理は終了する。また、図４のフローチャートでは、帳票データ状態情報を受信したタイミングで、判断部２４による判断が行われる場合について説明したが、この判断部２４による判断は、帳票データ状態情報の受信タイミングとは別のタイミングで行われてもよい。判断部２４は、例えば、所定の期間ごと（例えば、毎日午前２時など）に判断を行ってもよく、所定のイベントをトリガーとして判断を行ってもよく、他のタイミングで判断を行ってもよい。
【００４６】
図５は、図４のフローチャートのステップＳ２０２における判断処理を説明するためのフローチャートである。
（ステップＳ３０１）判断部２４は、カウンタＩを１に設定する。
（ステップＳ３０２）判断部２４は、データ特定情報記憶部２１で記憶されているＩ番目のデータ特定情報で特定される帳票データについて、書き込み指示をすでに送信しているかどうか判断する。そして、すでに書き込み指示を送信している場合には、ステップＳ３０５に進み、そうでない場合には、ステップＳ３０３に進む。書き込み指示をすでに送信しているかどうか判断は、例えば、データ特定情報に設定されている、書き込み指示を送信済みであることを示すフラグ等に基づいて行われる。
【００４７】
（ステップＳ３０３）判断部２４は、帳票データ状態情報受信部２３で受信された帳票データ状態情報を用いて、データ特定情報記憶部２１で記憶されているＩ番目のデータ特定情報で特定される１以上の帳票データが、着脱可能な記録媒体１９に書き込むことができる状態であるかどうか判断する。そして、書き込むことができる状態である場合には、ステップＳ３０４に進み、そうでない場合には、ステップＳ３０５に進む。
【００４８】
（ステップＳ３０４）判断部２４は、データ特定情報記憶部２１で記憶されているＩ番目のデータ特定情報を識別する情報を、データ特定情報記憶部２１から取得する。そして、その情報を保持しておく。なお、書き込み指示をすでに送信しているかどうかの判断を、データ特定情報に設定されたフラグ等に基づいて行なう場合には、例えば、書き込み指示を行った旨のフラグ等の設定を行う。
【００４９】
（ステップＳ３０５）判断部２４は、カウンタＩが最後の値であるかどうか、すなわち、Ｉ番目のデータ特定情報が、データ特定情報記憶部２１が記憶している最後のデータ特
定情報であるかどうか判断する。そして、カウンタＩが最後の値である場合には、終了となり、そうでない場合には、ステップＳ３０６に進む。
（ステップＳ３０６）判断部２４は、カウンタＩを１だけインクリメントする。そして、ステップＳ３０２に戻る。
【００５０】
次に、本実施の形態による帳票データ書き込みシステムの動作について、具体例を用いて説明する。ここで、図６は、帳票データ記憶部１３が記憶している帳票データの名称を示す図である。図６で示される帳票データの名称に対応付けられて、帳票データ（例えば、テキストデータや、スプレッドシートのデータなど）自体が記憶されている。図７は、データ特定情報記憶部２１が記憶しているデータ特定情報を示す図である。図７で示されるように、データ特定情報は、帳票データを書き込む記録媒体（ここではＣＤ−Ｒ）を識別する情報であるＣＤＩＤと、そのＣＤＩＤで識別される記録媒体に書き込むデータを特定するための情報である帳票データの名称とが対応付けられている。また、各ＣＤＩＤには、そのＣＤＩＤに対応する書き込み指示がすでになされたかどうかを示す書き込み指示フラグが対応している。この書き込み指示フラグが「１」である場合には、そのＣＤＩＤに対応する書き込み指示がすでに送信されており、「０」である場合には、まだ書き込み指示が送信されていないものとする。
【００５１】
帳票データとして、Ａ００２事業所の２００４年１月分の商品元帳を示すデータである帳票データ「Ａ００２事業所商品元帳（２００４０１）」が所定の情報処理装置から帳票データ書き込み装置１に送信されてきたとする。すると、その帳票データ「Ａ００２事業所商品元帳（２００４０１）」は、帳票データ受付部１１で受け付けられ（ステップＳ１０１）、帳票データ変換部１２によるデータ変換が開始される（ステップＳ１０２）。そのデータ変換が終了すると（ステップＳ１０３）、変換後の帳票データ「Ａ００２事業所商品元帳（２００４０１）」が、帳票データ記憶部１３で記憶される（ステップＳ１０４）。
【００５２】
帳票データ状態情報構成部１４は、帳票データ記憶部１３に変換後の帳票データが新たに蓄積された時点で、帳票データ状態情報を送信するタイミングであると判断し（ステップＳ１０５）、その新たに蓄積された帳票データ「Ａ００２事業所商品元帳（２００４０１）」の名称を帳票データ記憶部１３から取得し、その名称を含む帳票データ状態情報を構成する（ステップＳ１０６）。図８は、帳票データ状態情報構成部１４が構成した帳票データ状態情報の構成を示す図である。帳票データ状態情報は、帳票データ状態情報であることを示すヘッダと、変換の終了した帳票データ名（ここでは、「Ａ００２事業所商品元帳（２００４０１）」）を示す情報とから構成されている。この帳票データ状態情報によって、帳票データ「Ａ００２事業所商品元帳（２００４０１）」の変換が終了したことが示される。帳票データ状態情報送信部１５は、この帳票データ状態情報を書き込み制御装置２に送信する（ステップＳ１０７）。
【００５３】
帳票データ状態情報受信部２３は、送信された帳票データ状態情報を受信すると（ステップＳ２０１）、判断部２４に、その帳票データ状態情報を渡す。すると、判断部２４は、その帳票データ状態情報に含まれる帳票データの名称「Ａ００２事業所商品元帳（２００４０１）」を取り出し、それまでに帳票データ状態情報受信部２３で受信された帳票データの名称と共に判断部２４の有する図示しない記録媒体に記録する。したがって、判断部２４は、図６で示される帳票データの名称の一覧と同様の情報を、その記録媒体で保持していることになる。
【００５４】
判断部２４は、まず、データ特定情報記憶部２１と、帳票データの名称の一覧を記憶している記録媒体とを参照し、書き込み指示フラグが「０」であるため、まだ書き込み指示がなされていないと判断し（ステップＳ３０１、Ｓ３０２）、ＣＤＩＤ「Ｃ００１」で特
定される各帳票データが書き込み可能な状態であるかどうか判断する（ステップＳ３０３）。ここでは、帳票データの名称の一覧に、帳票データの名称「Ａ００１事業所売上明細表（２００４０１）」が含まれていなかったため、書き込み可能でないと判断され、次のＣＤＩＤ「Ｃ００２」等に関する判断がなされたとする（ステップＳ３０５、Ｓ３０６、Ｓ３０２、Ｓ３０３）。なお、この後の判断でも、書き込み可能な状態であるデータ特定情報がなかったとすると、判断部２４による判断処理は終了される（ステップＳ２０３）。
【００５５】
次に、帳票データ「Ａ００１事業所売上明細表（２００４０１）」が帳票データ受付部１１で受け付けられたとする（ステップＳ１０１）。すると、その帳票データは、帳票データ変換部１２によってデータ変換され、帳票データ記憶部１３に蓄積される（ステップＳ１０２〜Ｓ１０４）。
【００５６】
帳票データ状態情報構成部１４は、帳票データ状態情報を送信するタイミングであると判断し（ステップＳ１０５）、その新たに蓄積された帳票データ「Ａ００１事業所売上明細表（２００４０１）」の名称を帳票データ記憶部１３から取得し、その名称を含む帳票データ状態情報を構成する（ステップＳ１０６）。帳票データ状態情報送信部１５は、その帳票データ状態情報を書き込み制御装置２に送信する（ステップＳ１０７）。
【００５７】
送信された帳票データ状態情報は、帳票データ状態情報受信部２３で受信され（ステップＳ２０１）、判断部２４に渡される。そして、その帳票データ状態情報に含まれる帳票データの名称「Ａ００１事業所売上明細表（２００４０１）」は、判断部２４の有する図示しない記録媒体に記録する。
【００５８】
次に、判断部２４は、判断処理を開始する。この判断処理において、ＣＤＩＤ「Ｃ００１」についてはまだ書き込み指示がなされていないと判断され（ステップＳ３０１、Ｓ３０２）、ＣＤＩＤ「Ｃ００１」で特定される各帳票データが書き込み可能な状態であるかどうか判断される（ステップＳ３０３）。ここでは、ＣＤＩＤ「Ｃ００１」に対応するすべての帳票データの名称が帳票データ状態情報受信部２３で受信されているため、書き込み可能な状態であると判断され、判断部２４は、ＣＤＩＤ「Ｃ００１」を取得し、そのＣＤＩＤに対応する書き込み指示フラグを「１」にする（ステップＳ３０４）。なお、これ以外のＣＤＩＤについては、書き込み可能な状態ではなかったとする。
【００５９】
判断部２４は、取得したＣＤＩＤ「Ｃ００１」をデータ特定情報送信部２２と、書き込み指示送信部２５とに渡す。書き込み指示送信部２５は、図９（ｂ）で示されるように、書き込み指示であることを示すヘッダと、ＣＤＩＤ「Ｃ００１」とから構成される書き込み指示を帳票データ書き込み装置１に送信する（ステップＳ２０４）。また、データ特定情報送信部２２は、判断部２４からＣＤＩＤ「Ｃ００１」を受け取ったことによってデータ特定情報の送信タイミングであると判断し、そのＣＤＩＤ「Ｃ００１」に対応するデータ特定情報をデータ特定情報記憶部２１から読み出して帳票データ書き込み装置１に送信する。図９（ａ）は、その送信されたデータ特定情報の構成を示す図である。データ特定情報には、データ特定情報であることを示すヘッダと、ＣＤＩＤ「Ｃ００１」と、ＣＤＩＤ「Ｃ００１」に対応する１以上の帳票データの名称（例えば、「Ａ００１事業所売上明細表（２００４０１」など）とが含まれる
【００６０】
書き込み制御装置２から送信されたデータ特定情報は、データ特定情報受信部１６で受信され（ステップＳ１０８）、そのデータ特定情報をデータ特定情報受信部１６が保持しているメモリに蓄積する（ステップＳ１０９）。
【００６１】
また、書き込み制御装置２から送信された書き込み指示は、書き込み指示受信部１７で
受信され（ステップＳ１１０）、帳票データ書き込み部１８に渡される。帳票データ書き込み部１８は、書き込み指示に含まれるＣＤＩＤ「Ｃ００１」に対応する、データ特定情報受信部１６の保持するメモリで記憶されているデータ特定情報を取得し（ステップＳ１１１）、そのデータ特定情報で特定される帳票データ「Ａ００１事業所商品元帳（２００４０１）」、「Ａ００１事業所在庫日報（２００４０１）」、「Ａ００１事業所売上明細表（２００４０１）」を帳票データ記憶部１３から取得し（ステップＳ１１２）、その取得したそれらの帳票データをＣＤ−Ｒ１９に書き込む（ステップＳ１１３）。このようにして、帳票データのＣＤ−Ｒ１９への書き込みが行われる。
【００６２】
以上のように、本実施の形態による帳票データ書き込みシステムによれば、書き込み制御装置２において、データ特定情報に基づいて、帳票データを着脱可能な記録媒体１９に書き込むかどうかの判断を行い、その判断結果に応じて、帳票データ書き込み装置１において帳票データの書き込みを行うことにより、書き込み制御装置２で記憶されているデータ特定情報に基づいた帳票データの書き込みを行うことができ、帳票データを書き込む部署（帳票データ書き込み装置１の設置されている部署）と、光ディスク等の記録媒体１９にどの帳票データを書き込むのかを決定する部署（書き込み制御装置２の設置されている部署）との適切な関係を確立することができる。具体的には、書き込み制御装置２において、データ特定情報管理部２６を介して、データ特定情報の変更、追加、削除等を任意に行うことができ、その変更等されたデータ特定情報によって、帳票データ書き込み装置１における帳票データの書き込みを制御することができる。したがって、どの帳票データを書き込むのかを決定する部署の担当者が、書き込む帳票データの種類が変更されるたびに、帳票データを書き込む装置の部署にまで出向き、マスタデータ等の変更を行うような事態を回避することができ得る。また、帳票データ書き込み装置１から送信された帳票データ状態情報に基づいて、帳票データを着脱可能な記録媒体１９に書き込むかどうかの判断を行うことにより、例えば、帳票データが着脱可能な記録媒体に記録する状態となったかどうかの判断や、帳票データを着脱可能な記録媒体１９に書き込むかどうかの判断を行うために、担当者が帳票データ書き込み装置１の設置されている部署にまで出向かなくてよくなり、担当者の作業量・労力を軽減することができ得る。
【００６３】
なお、本実施の形態では、帳票データ受付部１１が受け付けた帳票データを変換した後に着脱可能な記録媒体１９に書き込む場合について説明したが、これは一例であって、例えば、着脱可能な記録媒体１９に記録する形式での帳票データが帳票データ受付部１１において受け付けられた場合には、その受け付けられた帳票データをそのまま（変換を行うことなく）着脱可能な記録媒体１９に書き込むようにしてもよい。その場合の帳票データ書き込み装置等の構成は、図１０で示されるようになる。なお、この場合には、帳票データ状態情報構成部１４は、帳票データ受付部１１により、帳票データが受け付けられたかどうかを示す情報である帳票データ状態情報を構成することになる。
【００６４】
また、本実施の形態の具体例では、帳票データ記憶部１３に変換後の帳票データが新たに蓄積されたタイミングで、その新たに蓄積された帳票データに関する帳票データ状態情報を構成する場合について説明したが、これは一例であって、例えば、帳票データ記憶部１３で記憶されているフラグに基づいて帳票データ状態情報の構成を行ってもよい。具体的には、図１１で示されるように、帳票データ記憶部１３において、帳票データの名称とその状態を示す状態フラグとが対応付けられて記憶されており、帳票データ状態情報構成部１４は、その状態フラグに応じて帳票データ状態情報を構成してもよい。例えば、図１１において、状態フラグ「０」は、対応する帳票データが帳票データ受付部１１でまだ受け付けられていないことを示しており、状態フラグ「１」は、対応する帳票データが帳票データ受付部１１で受け付け中であることを示しており、状態フラグ「３」は、対応する帳票データが帳票データ受付部１１で受け付けられ、帳票データ変換部１２で変換されたことを示しているとする。この場合には、帳票データ状態情報構成部１４は、帳票データ
記憶部１３の状態フラグを参照し、状態フラグが「３」に変更されたタイミングで帳票データの名称を取得して、その名称を含む帳票データ状態情報を構成してもよい。なお、この場合に、帳票データ記憶部１３が記憶している状態フラグや帳票データの名称などは、帳票データの受け付け、変換等を管理している管理部等によって追加・更新等されるものとする。
【００６５】
また、本実施の形態では、判断部２４による判断を帳票データ状態情報受信部２３が帳票データ情報を受信したタイミングで行う場合について説明したが、前述のように、判断を行うタイミングは、そのタイミングに限定されるものではなく、例えば、データ特定情報記憶部２１が記憶しているデータ特定情報の変更等が行われたタイミングで判断を行ってもよく、その他のタイミングで判断を行ってもよい。
【００６６】
また、本実施の形態では、書き込み制御装置２から帳票データ書き込み装置１に対してデータ特定情報と書き込み指示情報とが送信される場合について説明したが、例えば、データ特定情報と書き込み指示情報とが同時に送信される場合であって、データ特定情報を受信したことによって、書き込み指示がなされたと判断されるような場合には、データ特定情報送信部２２と、書き込み指示送信部２５とが同一の構成要素として構成され、データ特定情報が送信されることによって、データ特定情報と、書き込み指示とが送信されたと解釈されるものとする。また、データ特定情報受信部１６と、書き込み指示受信部１７とも同一の構成要素として構成され、データ特定情報が受信されることによって、データ特定情報と、書き込み指示とが受信されたと解釈されるものとする。
【００６７】
また、本実施の形態では、判断部２４がデータ特定情報を識別する情報を取得する場合について説明したが（ステップＳ３０４）、例えば、一時に扱われるデータ特定情報が１つだけである場合などでは、この取得は行われず、単に、帳票データの着脱可能な記録媒体１９への書き込みを指示する旨の情報のみを含む書き込み指示が送信されてもよい。
【００６８】
また、判断部２４が、帳票データの状態（例えば、帳票データの変換が終了したかどうかなど）に基づいて行う判断は、帳票データの状態のみに基づいて行ってもよく、あるいは、帳票データの状態と、他の条件とに基づいて行ってもよい。例えば、帳票データ書き込み装置１が着脱可能な記録媒体１９に帳票データを書き込むのに５分かかる場合には、判断部２４は、帳票データが書き込み可能な状態であり、かつ、５分以内に書き込み指示を送信していない場合に、帳票データを着脱可能な記録媒体１９に書き込むと判断してもよい。
【００６９】
また、前述のように、帳票データ書き込み装置１は、どのような経路で帳票データを受け付けてもよく、例えば、書き込み制御装置２を介して帳票データを受け付けてもよい。
【００７０】
また、本実施の形態では、着脱可能な記録媒体１９に書き込むデータが帳票データである場合について説明したが、帳票データ以外のデータ、例えば、画像データやデータベースのデータ、その他のテキストデータなどを着脱可能な記録媒体１９に書き込む場合に、本実施の形態における手法を用いてもよい。
【００７１】
また、上記実施の形態において、各処理（各機能）は、単一の装置（システム）によって集中処理されることによって実現されてもよく、あるいは、複数の装置によって分散処理されることによって実現されてもよい。
【００７２】
また、上記実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒
体に記録されたソフトウェア・プログラムをＣＰＵ等のプログラム実行部が読み出して実行することによって、各構成要素が実現され得る。なお、上記実施の形態における帳票データ書き込み装置を実現するソフトウェアは、以下のようなプログラムである。つまり、このプログラムは、コンピュータに、帳票データを受け付ける帳票データ受付ステップと、前記帳票データ受付ステップで受け付けられた帳票データの状態に関する情報である帳票データ状態情報を構成する帳票データ状態情報構成ステップと、前記帳票データ状態情報構成ステップで構成した帳票データ状態情報を送信する帳票データ状態情報送信ステップと、着脱可能な記録媒体に書き込む１以上の帳票データを特定する情報であるデータ特定情報を受信するデータ特定情報受信ステップと、着脱可能な記録媒体に帳票データを書き込む旨の指示である書き込み指示を受信する書き込み指示受信ステップと、前記書き込み指示受信ステップで書き込み指示を受信した場合に、前記データ特定情報受信ステップで受信したデータ特定情報によって特定される１以上の帳票データを着脱可能な記録媒体に書き込む帳票データ書き込みステップと、を実行させるためのものである。
【００７３】
また、上記実施の形態における書き込み制御装置を実現するソフトウェアは、以下のようなプログラムである。つまり、このプログラムは、コンピュータに、着脱可能な記録媒体に書き込む１以上の帳票データを特定する情報であるデータ特定情報を１以上記憶しているデータ特定情報記憶部から前記データ特定情報を読み出して送信するデータ特定情報送信ステップと、帳票データの状態に関する情報である帳票データ状態情報を受信する帳票データ状態情報受信ステップと、前記帳票データ状態情報受信ステップで受信した帳票データ状態情報、及び前記データ特定情報記憶部が記憶しているデータ特定情報に基づいて、前記データ特定情報によって特定される１以上の帳票データを着脱可能な記録媒体に書き込むかどうか判断する判断ステップと、前記データ特定情報によって特定される１以上の帳票データを着脱可能な記録媒体に書き込むと前記判断ステップで判断した場合に、着脱可能な記録媒体に帳票データを書き込む旨の指示である書き込み指示を送信する書き込み指示送信ステップと、を実行させるためのものである。
【００７４】
なお、上記プログラムにおいて、情報を送信する送信ステップや、情報を受信する受信ステップなどでは、ハードウェアによって行われる処理、例えば、送信ステップにおけるモデムやインターフェースカードなどで行われる処理（ハードウェアでしか行われない処理）は含まれない。
【００７５】
また、このプログラムは、サーバなどからダウンロードされることによって実行されてもよく、所定の記録媒体（例えば、ＣＤ−ＲＯＭなどの光ディスクや磁気ディスク、半導体メモリなど）に記録されたプログラムが読み出されることによって実行されてもよい。
また、このプログラムを実行するコンピュータは、単数であってもよく、複数であってもよい。すなわち、集中処理を行ってもよく、あるいは分散処理を行ってもよい。
【産業上の利用可能性】
【００７６】
以上のように、本発明による帳票データ書き込みシステム等は、帳票データを例えば、ＣＤ−Ｒ等の着脱可能な記録媒体に書き込むシステム等として有用である。
【図面の簡単な説明】
【００７７】
【図１】本発明の一実施の形態による帳票データ書き込みシステムの構成を示す図
【図２】同実施の形態による帳票データ書き込み装置及び書き込み制御装置の構成を示すブロック図
【図３】同実施の形態による帳票データ書き込み装置の動作を示すフローチャート
【図４】同実施の形態による書き込み制御装置の動作を示すフローチャート
【図５】同実施の形態による書き込み制御装置の動作を示すフローチャート
【図６】同実施の形態における帳票データの名称の一例を示す図
【図７】同実施の形態におけるデータ特定情報の一例を示す図
【図８】同実施の形態における帳票データ状態情報の構成の一例を示す図
【図９】同実施の形態におけるデータ特定情報の構成及び書き込み指示の構成の一例を示す図
【図１０】同実施の形態による帳票データ書き込み装置及び書き込み制御装置の構成を示すブロック図
【図１１】同実施の形態による帳票データ記憶部の記憶内容の一例を示す図
【符号の説明】
【００７８】
１、１０  帳票データ書き込み装置
２  書き込み制御装置
１１  帳票データ受付部
１２  帳票データ変換部
１３  帳票データ記憶部
１４  帳票データ状態情報構成部
１５  帳票データ状態情報送信部
１６  データ特定情報受信部
１７  書き込み指示受信部
１８  帳票データ書き込み部
１９  着脱可能な記録媒体
２１  データ特定情報記憶部
２２  データ特定情報送信部
２３  帳票データ状態情報受信部
２４  判断部
２５  書き込み指示送信部
２６  データ特定情報管理部
【図１】
2005309568.tif 000003
【図２】
2005309568.tif 000004
【図３】
2005309568.tif 000005
【図４】
2005309568.tif 000006
【図５】
2005309568.tif 000007
【図６】
2005309568.tif 000008
【図７】
2005309568.tif 000009
【図８】
2005309568.tif 000010
【図９】
2005309568.tif 000011
【図１０】
2005309568.tif 000012
【図１１】
2005309568.tif 000013